(57)【要約】【課題】  本発明は、一部領域を切取る際、形成される窓部の縁部に亀裂を生じせず、更に、切取り後に於いて外観上良好な状態を保つことができる熱収縮性筒状ラベルを提供することを課題とする。【解決手段】  本発明の熱収縮性筒状ラベル３は、周方向に熱収縮して容器２に装着可能で、且つ縦方向に延びる縦切取補助線５が形成された筒状体３１を有し、容器に熱収縮装着した後、縦切取補助線５に従って筒状体３１の一部を分断し、縦切取補助線５を基準として周方向一方側に於ける一部領域Ｘが切取可能に構成されており、筒状体３１は、一部領域Ｘと反対側に於いて、縦切取補助線５に沿って設けられたフィルム厚肉部７を有する。このフィルム厚肉部７は、筒状体３１の内面にテアテープ８を添付することにより設けられている。【選択図】  図１
2008201465.tif 000002
【特許請求の範囲】
【請求項１】
周方向に熱収縮して容器に装着可能で、且つ縦方向に延びる縦切取補助線が形成された筒状体を有し、
容器に熱収縮装着した後、前記縦切取補助線に従って筒状体の一部を分断し、縦切取補助線を基準として周方向一方側に於ける一部領域が切取可能とされる熱収縮性筒状ラベルであって、
前記筒状体は、前記一部領域と反対側に於いて、前記縦切取補助線に沿って設けられたフィルム厚肉部を有することを特徴とする熱収縮性筒状ラベル。
【請求項２】
前記縦切取補助線が、周方向に所定間隔を開けて２本形成されており、前記一部領域が前記２本の縦切取補助線の間の領域であり、前記一部領域と反対側に於いて、２本の縦切取補助線に沿って前記フィルム厚肉部がそれぞれ設けられている請求項１に記載の熱収縮性筒状ラベル。
【請求項３】
前記一方のフィルム厚肉部が、筒状体の上縁から下縁にかけて添付されたテアテープで構成され、前記他方のフィルム厚肉部が、筒状体のセンターシール部で構成されている請求項２に記載の熱収縮性筒状ラベル。
【請求項４】
請求項１〜３のいずれかに記載の熱収縮性筒状ラベルが、周壁面に凹み部が形成された容器に熱収縮装着されているラベル付き容器であって、前記筒状体の一部領域が、前記容器の凹み部に対応するように装着されているラベル付き容器。
【発明の詳細な説明】
【技術分野】
【０００１】
本発明は、容器に装着後、一部が切り取られて使用される熱収縮性筒状ラベル、及び該熱収縮性筒状ラベルが装着されたラベル付き容器に関する。
【背景技術】
【０００２】
従来、熱収縮することにより、容器の胴部に装着可能な熱収縮性筒状ラベルは周知である。
かかる熱収縮性筒状ラベルは、容器に装着するため、周方向に大きく熱収縮する。このように周方向に大きく熱収縮する該熱収縮性筒状ラベルは、通常、主延伸方向が周方向となるように、延伸フィルムを筒状に形成した筒状体を有する。
【０００３】
ところで、液体洗剤、油、飲料などを充填する比較的大型の容器として、取っ手の形成された容器が知られている。このような取っ手付きの容器にも、上記熱収縮性筒状ラベルが装着される場合がある。
該取っ手付き容器に装着される熱収縮性筒状ラベルとして、特許文献１には、縦方向及び周方向に延びるミシン目線を形成し、このミシン目線で囲われた所定領域を切り離すことにより、容器の凹所に対応する位置に２つの孔を形成できるスリーブ（熱収縮性筒状ラベル）が開示されている。
かかる熱収縮性筒状ラベルは、縦方向及び周方向に延びるミシン目線に従ってフィルムの一部領域を切取ることにより、容器の凹所に対応する位置に切取窓部を形成できる。このため、容器の凹所が筒状ラベルを装着したことによって塞がれず、熱収縮性筒状ラベルに形成した前記窓部を通じて容器の凹所に指を入れ、これを持つことができる。
【０００４】
しかしながら、熱収縮性筒状ラベルは、上記のように主延伸方向が周方向となるように、延伸フィルムを筒状に形成した筒状体を有する。このため、熱収縮性筒状ラベルは、縦方向に極めて裂け難い反面、周方向には裂け易いという特性を有する。特に、該延伸フィルムとして、一軸延伸ポリエチレンテレフタレートフィルムのようなポリエステル系延伸フィルムを用いた場合には、周方向への引裂き性が強い傾向にある。
従って、上記従来の熱収縮性筒状ラベルについて、縦方向に延びるミシン目線に従って切り取ろうとしても、切取途中で周方向に亀裂が生じ易い。この点、一部領域に亀裂が生じても、該一部領域は除去する部分であって、その後使用に供しない。
しかし、一部領域と反対側に亀裂が生じると、形成される窓部の縁部が綺麗な線条痕とならない。その結果、窓部を通じて容器の凹所を持つ際に、窓部の縁部を構成するフィルム部分が、捲れ上がり、容器を持ち難くするという問題がある。また、窓部の縁部が捲れると、デザインが隠れたり或いは歪むので、外観上好ましくない。
【０００５】
【特許文献１】特表平８−５０９１９０公報
【発明の開示】
【発明が解決しようとする課題】
【０００６】
そこで、本発明は、一部領域を切取る際、形成される窓部の縁部に亀裂を生じせず、更に、切取り後に於いて外観上良好な状態を保つことができる熱収縮性筒状ラベル、及び該ラベルが容器に装着されたラベル付き容器を提供することを課題とする。
【課題を解決するための手段】
【０００７】
本発明に係る熱収縮性筒状ラベルは、周方向に熱収縮して容器に装着可能で、且つ縦方向に延びる縦切取補助線が形成された筒状体を有し、容器に熱収縮装着した後、前記縦切取補助線に従って筒状体の一部を分断し、縦切取補助線を基準として周方向一方側に於ける一部領域が切取可能に構成されており、筒状体は、一部領域と反対側に於いて、縦切取補助線に沿って設けられたフィルム厚肉部を有することを特徴とする。
【０００８】
上記熱収縮性筒状ラベルは、一部領域と反対側に於いて、縦切取補助線に沿ってフィルム厚肉部が設けられているので、縦切取補助線を利用して筒状体の一部を縦方向に分断する際に、一部領域と反対側に亀裂が生じることを防止できる。
従って、上記熱収縮性筒状ラベルは、一部領域を切り取った後、窓部の縁部が、縦切取補助線に従った綺麗な線条痕となる。また、窓部の縁部が捲れ難いので、切取り後に於いて、デザインの歪みなどを防止できる。
【０００９】
本発明の好ましい熱収縮性筒状ラベルは、上記縦切取補助線が、周方向に所定間隔を開けて２本形成されており、上記一部領域が２本の縦切取補助線の間の領域であり、一部領域と反対側に於いて、２本の縦切取補助線に沿って上記フィルム厚肉部がそれぞれ設けられている。
【００１０】
かかる熱収縮性筒状ラベルは、縦切取補助線が２本設けられているので、この両縦切取補助線の間に存する一部領域を容易に切り取ることができる。さらに、筒状体には、一部領域と反対側に於いて、２本の縦切取補助線に沿ってフィルム厚肉部がそれぞれ設けられているので、一部領域の切取り後に形成される窓部の縁部が、綺麗な線条痕となる。
【００１１】
さらに、本発明の他の好ましい熱収縮性筒状ラベルは、上記一方のフィルム厚肉部が、筒状体の上縁から下縁にかけて添付されたテアテープで構成され、他方のフィルム厚肉部が、筒状体のセンターシール部で構成されている。
【００１２】
本発明の熱収縮性筒状ラベルのフィルム厚肉部は、例えば、筒状体に添付したテアテープで構成できる。
上記好ましい熱収縮性筒状ラベルは、２本の縦切取補助線のうち、他方の縦切取補助線に沿って設けられたフィルム厚肉部として、この種ラベルに形成されるセンターシール部を利用するものである。従って、２本の縦切取補助線に沿って設けられるフィルム厚肉部のそれぞれをテアテープで構成する場合に比して、テアテープの添付作業を少なくすることができる。
【００１３】
本発明に係るラベル付き容器は、上記何れかの熱収縮性筒状ラベルが、周壁面に凹み部が形成された容器に熱収縮装着されており、筒状体の一部領域が、容器の凹み部に対応するように装着されている。
【発明の効果】
【００１４】
本発明の熱収縮性筒状ラベル及びラベル付き容器は、一部領域と反対側に於いて、縦切取補助線に沿ってフィルム厚肉部が設けられているので、縦切取補助線に従って筒状体の一部を縦方向に分断する際に、一部領域と反対側に亀裂が生じることを防止できる。
従って、上記熱収縮性筒状ラベルは、形成される窓部の縁部が綺麗な線条痕となり、窓部の縁部が大きく捲れることを防止できるので、デザインを損ねることなく外観上も良好となる。
【発明を実施するための最良の形態】
【００１５】
以下、本発明について、図面を参照しつつ具体的に説明する。
ただし、同様の構成を示す用語の接頭語として、「第１」、「第２」などを付すが、これは、用語を区別するために付するものであり、部材の優劣、順序などを意味するものではない。また、方向を示す用語として、「上」は、自立状態の容器に装着された筒状体を基準として、自立させた面から鉛直方向へ離れる方向を指す。「下」は、同筒状体を基準として、自立させた面に近づく方向を指す。「縦方向」とは、同筒状体を基準にして、その上下方向を指し、「周方向」とは、同筒状体を基準にして、その周方向を指す。
【００１６】
（第１実施形態）
図１〜図３に於いて、１は、容器２と、該容器２に熱収縮により外嵌装着された熱収縮性筒状ラベル３と、を備えるラベル付き容器を示す。
【００１７】
容器２は、熱収縮性筒状ラベル３が熱収縮装着可能なものであれば特に限定されないが、本発明の熱収縮性筒状ラベル３は一部領域Ｘを切取可能であることから、内側へ凹んだ凹み部を有するものが好ましい。
該凹み部を有する容器２は、特に限定されず、例えば、図４に示すように、容器胴部２１の中途部一側寄りに、内側へ凹んだ凹み部２２，２３が胴部両面に対向して形成され、この対向する２箇所の凹み部２２，２３を形成することによって取っ手２４が形成されている容器が挙げられる。また、図５に示すように、容器胴部２１の中途部一側寄りに、内側に凹んだ凹み部２２，２３が胴部両面に対向して形成され且つこの対向する２箇所の凹み部２２，２３が貫通されていると共に、この貫通した凹み部２２，２３の外側に取っ手２４が形成されている容器２などが挙げられる。
なお、凹み部を有する容器２は、上記のように取っ手２４を形成する目的で、２箇所の凹み部２２，２３が形成されているものに限られず、例えば、補強目的又は装飾目的で、１箇所以上の凹み部が形成されている容器でもよい。
【００１８】
容器２の形状は、特に限定されず、例えば、図４に示すような略直方体状、図５に示すような略円錐台状の他、略円柱状などでもよい。また、容器２の大きさも特に限定されない。もっとも、取っ手２４が形成されるこの種の容器２は、通常比較的大型の容器であることが多く、例えば、容積０．５リットル以上、特に１リットル以上のものが例示される。
容器２に充填される充填物は、特に限定されず、ジュースなどの飲料、液体洗剤や詰替え用シャンプーなどのサニタリー品、消毒用アルコールなどの医薬品、化粧品などの液体、顆粒状の洗剤などの粒状体などの各種充填物が例示される。
【００１９】
熱収縮性筒状ラベル３は、図６〜図８にも示すように、所定温度（例えば８０〜１００℃程度）で熱収縮しうる熱収縮性フィルムの両側端部３２，３３を接着することにより筒状に成形された筒状体３１を有する。
筒状体３１を構成する熱収縮性フィルムは、少なくとも一方向（筒状に形成した際に於ける周方向。以下同じ）に熱収縮性を有するものであればその材質は特に限定されず、例えば、ポリエチレンテレフタレートなどのポリエステル系樹脂、ポリプロピレンなどのオレフィン系樹脂、ポリスチレン、スチレン−ブタジエン共重合体などのスチレン系樹脂、環状オレフィン系樹脂、塩化ビニル系樹脂などの熱可塑性樹脂から選ばれる１種、又は２種以上の混合物などからなる合成樹脂製フィルムなどを用いることができる。また、熱収縮性を有する２種以上のフィルムが積層された積層フィルムでもよく、又、熱収縮性を有するフィルムに発泡樹脂シート等の断熱層やその他の機能層が積層された積層フィルムを用いることもできる。中でも、収縮特性に優れている点などから、ポリエステル系フィルムを含むものが好ましい。一方向に熱収縮性を有するポリエステル系の延伸フィルムは、一方向に引裂き性が強いが、本発明に於いては、かかるフィルムを用いても縦切取補助線５に従ってフィルムを確実に且つ綺麗に分断できる。
【００２０】
熱収縮性フィルムは、公知の製法で製膜し延伸処理することにより得ることができる。延伸処理は、通常、７０〜１１０℃程度の温度で、幅方向に２．０〜８．０倍、好ましくは３．０〜７．０倍程度で主延伸することにより行われる。さらに、フィルムの他方向（筒状に形成した際に於ける縦方向。以下同じ）にも、例えば１．５倍以下の低倍率で延伸処理を行ってもよい。得られたフィルムは、一軸延伸フィルム又は主延伸方向と直交する方向に若干延伸された二軸延伸フィルムとなる。熱収縮性フィルムの厚みは、特に限定されないが、通常、３０〜８０μｍ程度のものが用いられる。
【００２１】
熱収縮性フィルムの熱収縮率としては、熱収縮により容器２に密着可能な程度であれば特に限定されないが、通常、一方向に於ける熱収縮率（９０℃温水中に１０秒間浸漬）は約３０％以上、好ましくは約４０％以上のものが例示される。また、熱収縮性フィルムは他方向に若干熱収縮してもよく、かかるフィルムの他方向に於ける熱収縮率（８０℃温水中に１０秒間浸漬）は、約−３〜１５％程度のものが例示される。
但し、熱収縮率（％）＝［｛（一方向（又は他方向）の元の長さ）−（一方向（又は他方向）の浸漬後の長さ）｝／（一方向（又は他方向）の元の長さ）］×１００。
【００２２】
尚、熱収縮性フィルムには、例えば商品名、商標、絵柄デザインなどの意匠印刷層（図示せず）がグラビア印刷などによって単色又は多色刷りにて印刷されている。これにより筒状体３１に所望の意匠印刷が表されている。
筒状体３１は、上記熱収縮性フィルムの主延伸方向が周方向になるように、熱収縮性フィルムの一側端部３２を他側端部３３の外面に重ね合わせて筒状に形成され、該重ね合わせ部分を、溶剤又は接着剤を用いて接着してセンターシール部９が形成されている。
【００２３】
この筒状体３１には、縦方向に延びる縦切取補助線５と、縦切取補助線５の上下端に連設され且つ周方向に延びる横切取補助線６と、縦切取補助線５に沿って縦方向に延びる帯状のフィルム厚肉部７と、が形成されている。
【００２４】
具体的には、縦切取補助線５は、筒状体３１の面内に於いて、周方向に所定間隔を開けて左右一対形成されている（２本の縦切取補助線５，５のうち、正面から見て右方を「第１縦切取補助線５１」、同左方を「第２縦切取補助線５２」という場合がある）。横切取補助線６は、上下一対形成されている（２本の横切取補助線６のうち、上方を「第１横切取補助線６１」、下方を「第２横切取補助線６２」という場合がある）。
第１横切取補助線６１は、第１縦切取補助線５１の上端と第２縦切取補助線５２の上端の間に架け渡すように形成されている。第２横切取補助線６２は、第１縦切取補助線５１の下端と第２縦切取補助線５２の下端の間に架け渡すように形成されている。
【００２５】
上記第１及び第２縦切取補助線５１，５２と第１及び第２横切取補助線６１，６２に従って、筒状体３１（フィルム）を分断することにより、各切取補助線５１，…によって囲われた筒状体３１の一部領域Ｘを切り取ることができる。
第１及び第２縦切取補助線５１，５２と第１及び第２横切取補助線６１，６２の形成位置は特に限定されない。例えば、本発明の熱収縮性筒状ラベル３が凹み部２２を有する容器２に装着される場合には、第１及び第２縦切取補助線５１，５２と第１及び第２横切取補助線６１，６２で囲われた領域（即ち一部領域Ｘ）が容器２の凹み部２２，２３を含むように、第１及び第２縦切取補助線５１，５２と第１及び第２横切取補助線６１，６２が形成されていることが好ましい。
第１縦切取補助線５１及び第２縦切取補助線５２は、センターシール部９と平行に且つ直線状に形成されている。もっとも、第１縦切取補助線５１及び第２縦切取補助線５２は、縦方向に延びて設けられていればセンターシール部９と平行に形成されている場合に限られず、例えば、センターシール部９に対して僅かに傾斜した状態で縦方向に形成されていてもよい。また、第１縦切取補助線５１及び第２縦切取補助線５２は、非直線状（例えば、縦方向に延びる略円弧状、縦方向に延びる略鋸刃状など）に形成されていてもよい。
【００２６】
具体的には、本発明の熱収縮性筒状ラベル３が、上記２箇所の凹み部２２，２３が形成されている容器２に装着される場合には、図１及び図２に示すように、第１縦切取補助線５１は、容器２の一方の凹み部２２の右側縁に略一致又は該右側縁の近傍に位置し、且つ縦方向に延びて形成されている。一方、第２縦切取補助線５２は、容器２の他方の凹み部２３の左側縁に略一致又は該左側縁の近傍に位置し、且つ縦方向に延びて形成されている。
第１横切取補助線６１は、容器２の一対の凹み部２２，２３の上縁に略一致又は該上縁の近傍に位置し、且つ周方向に延びて形成されている。一方、第２横切取補助線６２は、容器２の一対の凹み部２２，２３の下縁に略一致又は該下縁の近傍に位置し、且つ周方向に延びて形成されている。
【００２７】
縦切取補助線５及び横切取補助線６は、その形成部分に於いてフィルムを切取り易くするための線状部である。縦切取補助線５及び横切取補助線６としては、ミシン目線、ハーフカット線などが挙げられる。ミシン目線は、ミシン針の縫い目跡の如く、フィルムの厚み方向に貫通する貫通孔が断続的に刻設された線である。ハーフカット線は、（フィルムを貫通せず）フィルムの厚み方向に略Ｖ字状に切り込んだ刻み部が連続する線である。本発明では、形成容易で、且つフィルムの分断性にも優れていることから、縦切取補助線５及び横切取補助線６としては、ミシン目線を用いることが好ましい。
以下、縦切取補助線５及び横切取補助線６として、ミシン目線を用いた場合について説明する。なお、縦切取補助線５を「縦ミシン目線５」と、第１縦切取補助線５１を「第１縦ミシン目線５１」と、第２縦切取補助線５２を「第２縦ミシン目線５２」と、横切取補助線６を「横ミシン目線６」と、第１横切取補助線６１を「第１横ミシン目線６１」と、第２横切取補助線６２を「第２横ミシン目線６２」と、それぞれ記載する場合がある。
【００２８】
縦ミシン目線５及び横ミシン目線６の貫通孔の形状は特に限定されず、円状（楕円状を含む）、細長い線状の何れでもよい。各ミシン目線の貫通孔の長さ（貫通孔が円状の場合には直径。貫通孔が細長い線状の場合にはその長手方向の長さ）と非貫通部の長さ（隣合う貫通孔の間隔）は、特に限定されず、適宜に設計できる。
縦ミシン目線５の貫通孔の長さと非貫通部の長さは、好ましくは１：１〜２：１であり、より好ましくは２：１程度である。具体的には、縦ミシン目線５の貫通孔の長さは、好ましくは０．５ｍｍ〜２ｍｍである。一方、縦ミシン目線５の非貫通部の長さは、好ましくは０．５ｍｍ〜１ｍｍである。中でも、貫通孔が２ｍｍで、非貫通部の長さが１ｍｍであることが特に好ましい。
【００２９】
なお、必要に応じて、上記縦ミシン目線５の貫通孔の一部を、より長大な貫通孔としてもよい。例えば、縦ミシン目線５の縦方向中央部に存する貫通孔を、長さ１０ｍｍ〜２０ｍｍ程度に形成してもよい。このように縦ミシン目線５の一部の貫通孔を、他の貫通孔に比して長く形成することにより、熱収縮性筒状ラベル３を熱収縮させた際、該長大な貫通孔の部分が周方向に引っ張られて大きく開口する。このため、この開口部分が開封起点口となり、該開封起点口から指を入れてその縁部を容易に掴むことができる。
また、縦ミシン目線５は、図示したように、１本で構成されているものに限られず、隣接して２本以上形成してもよい。すなわち、第１縦ミシン目線５１及び／又は第２縦ミシン目線５２が、縦方向に延びる２本以上の隣接したミシン目線で構成されていてもよい。２本のミシン目線は、例えば、周方向に１ｍｍ〜４ｍｍ程度の間隔を開けて形成されていることが好ましく、該ミシン目線の貫通孔と非貫通部は、それぞれ０．７ｍｍ程度の長さに形成されていることが好ましい。
【００３０】
一方、横ミシン目線６の貫通孔の長さと非貫通部の長さは、、好ましくは１：１〜２：１であり、より好ましくは２：１程度である。具体的には、横ミシン目線６の貫通孔の長さは、好ましくは０．５ｍｍ〜２ｍｍである。一方、横ミシン目線６の非貫通部の長さは、好ましくは０．５ｍｍ〜１ｍｍである。
【００３１】
次に、フィルム厚肉部７は、筒状体３１の中で部分的にフィルム厚が厚く形成された部分である。フィルム厚肉部７は、上記第１縦ミシン目線５１及び第２縦ミシン目線５２に沿って、それぞれ設けられている。
フィルム厚肉部７は、例えば、フィルムを２枚以上重ね合わせた部分で構成されている。該フィルム厚肉部７は、例えば、筒状体３１の内面にテアテープ８を添付することにより構成できる。また、該フィルム厚肉部７は、筒状体３１のセンターシール部９を利用して構成することもできる。
以下、第１縦ミシン目線５１に沿って設けられたフィルム厚肉部７を「第１フィルム厚肉部７１」と、第２縦ミシン目線５２に沿って設けられたフィルム厚肉部７を「第２フィルム厚肉部７２」と、それぞれ記載する場合がある。
【００３２】
第１フィルム厚肉部７１は、第１縦ミシン目線５１を基準にして、一部領域Ｘと反対側に於いて、該第１縦ミシン目線５１に沿って縦方向に延びて設けられている。すなわち、第１フィルム厚肉部７１は、非切取領域側であって、第１縦ミシン目線５１と略平行に、且つ第１縦ミシン目線５１の少なくとも上端から下端にかけて設けられている。
上記一部領域Ｘと反対側とは、意図的に切取除去されない筒状体３１の領域であり、以下、一部領域と反対側を、「非切取領域側」という場合がある。
【００３３】
本実施形態では、第１フィルム厚肉部７１としてテアテープ８が用いられている。
該テアテープ８は、例えば、直線状の側縁８ａを有する帯状のフィルムが用いられる。テアテープ８の材質は、特に限定されず、筒状体３１を構成するフィルムと同様に、任意の樹脂フィルムを用いることができる。テアテープ８は、周方向に熱収縮しうるフィルムを用いることもできるが、非熱収縮性のフィルム（筒状体３１の熱収縮温度で熱収縮しないフィルム）を用いることが好ましい。テアテープ８が、周方向に熱収縮すると、隣接する縦ミシン目線５の貫通孔が周方向に引っ張られて大きく開口し易くなるからである。
【００３４】
該テアテープ８は、図８にも示すように、その直線状の側縁８ａを第１縦ミシン目線５１の近傍に位置させ、該第１縦ミシン目線５１に沿って添付されている。テアテープ８の側縁８ａは、第１縦ミシン目線５１に出来るだけ近く配置されていることが好ましい。例えば、テアテープ８の側縁８ａと第１縦ミシン目線５１の間隔は、４ｍｍ以下、好ましくは３ｍｍ以下である。
【００３５】
テアテープ８を筒状体３１の内面に添付する方法としては、例えば、接着剤を用いることができる。また、テアテープ８と筒状体３１が溶剤接着可能な材質である場合には、溶剤によって筒状体３１に接着することもできる。
テアテープ８の幅（周方向の長さ）は、特に限定されないが、通常、２ｍｍ〜７ｍｍ程度のものが用いられる。
【００３６】
上記テアテープ８は、筒状体３１の上縁から下縁にかけて添付されている。本発明は、第１縦ミシン目線５１を基準にして、非切取領域側に第１フィルム厚肉部７１を設けることにより、第１縦ミシン目線５１に従って筒状体３１の一部を分断する際に、非切取領域側に亀裂が発生することを防止するものである。このため、フィルム厚肉部７は、縦切取補助線５の上端から下端に対応して設けられていれば良いが、テアテープ８を筒状体３１の縦方向中途部にのみ添付することは製造上煩雑である。さらに、上記目的から、フィルム厚肉部７は、縦切取補助線５の上端及び／又は下端よりも、上方及び／又は下方へ長く設けられていることが好ましい。
このような理由で、テアテープ８は、筒状体３１の上縁から下縁にかけて添付されていることが好ましい態様である。
【００３７】
一方、第２フィルム厚肉部７２は、第２縦ミシン目線５２を基準にして、一部領域Ｘと反対側に於いて、第２縦ミシン目線５２に沿って縦方向に延びて設けられている。すなわち、第２フィルム厚肉部７２は、非切取領域側であって、第２縦ミシン目線５２と略平行に、且つ少なくとも第１縦ミシン目線５１の上端から下端にかけて設けられている。
【００３８】
本実施形態では、第２フィルム厚肉部７２としてセンターシール部９が用いられている。
センターシール部９は、上述のように、筒状体３１を形成するために、熱収縮性フィルムの一側端部３２と他側端部３３の重ね合わせ接着部分である。
該センターシール部９に於ける一側端部３２と他側端部３３の重ね順序は特に限定されず、何れの側端部３２，３３が筒状体３１の外面側に位置していてもよい。中でも、筒状体３１の外側に位置する一側端部３２の縁３２ａが第２縦ミシン目線５２に近接するように、熱収縮性フィルムの両側端部３２，３３を重ね合わせてセンターシール部９が形成されていることが好ましい。センターシール部９を形成する際、内側に位置する他側端部３３の縁部３３ａは、図６に示すように、通常、数ｍｍほどが接着されない余り代として延出されるので、この余り代が第２縦ミシン目線５２に従って分断する際に支障を来すからである。
【００３９】
該センターシール部９の一側端部３２の縁３２ａは、上下に直線状に延びており、該縁の近傍に第２縦ミシン目線５２が形成されている。センターシール部９の一側端部３２の縁３２ａは、第２縦ミシン目線５２に出来るだけ近いことが好ましい。例えば、センターシール部９の一側端部３２の縁３２ａと第２縦ミシン目線５２の間隔は、５ｍｍ以下、好ましくは４ｍｍ以下である。
センターシール部９の幅（周方向の長さ）は、特に限定されないが、通常、３ｍｍ〜１０ｍｍ程度に形成される。
【００４０】
なお、筒状体３１には、容器２のリサイクルのため、熱収縮性筒状ラベル３を容器２から除去し易くするために、縦方向に延びる縦開封補助線４が形成されている。
本実施形態では、縦開封補助線４は、上記第１縦ミシン目線５１に連設して設けられている。具体的には、縦開封補助線４は、筒状体３１の上縁から第１縦ミシン目線５１の上端にかけて形成された第１縦開封補助線４１と、第１縦ミシン目線５１の下端から筒状体３１の下縁にかけて形成された第２縦開封補助線４２と、を有する。
従って、縦開封補助線４は、その縦方向中途部が第１縦ミシン目線５１に連設されている。
なお、縦開封補助線４は、第２縦ミシン目線５２の上下端に連設して設けられていてもよいし、縦開封補助線４は、第１縦ミシン目線５１及び第２縦ミシン目線５２のそれぞれに連設されていてもよい（この場合、上下縁に延びる縦開封補助線４は周方向に所定間隔を開けて２本設けられる）。
【００４１】
ただし、縦開封補助線４は、第１縦ミシン目線５１及び第２縦ミシン目線５２に連設されておらず、別個独立して、筒状体３１の上縁から下縁にかけて縦方向に形成されていてもよい。
このように縦開封補助線４を設けることにより、使用後、熱収縮性筒状ラベル３全体を縦方向に分断して容器２から除去することができる。
【００４２】
上記熱収縮性筒状ラベル３は、例えば、下記のようにして製造できる。
長尺状の熱収縮性のフィルム原反（主たる熱収縮方向がＴＤ方向）と、裏面に接着剤が塗布された長尺状のテアテープと、を準備する。このテアテープを、送り出されるフィルム原反の所定位置に貼付する。
次に、ミシン目形成装置（トムソン刃や回転刃など）を用いて、長手方向にテアテープが添付されたフィルム原反に、２本の長手方向のミシン目（縦切取補助線及び縦開封補助線）と、該長手方向のミシン目の間に長手方向と直交する方向のミシン目（横切取補助線）と、を形成する。なお、該ミシン目を形成する際に、テアテープを分断するための切り目も同時に刻設する。
【００４３】
その後、熱収縮性フィルム原反を、主熱収縮方向が周方向になるように、熱収縮性フィルム原反の両側部を重ね合わせ、溶剤（又は接着剤）を介して、該重ね合わせ部分を接着して長手方向に延びるセンターシール部を形成する。
このようにして、上記熱収縮性筒状ラベル３が連続的に繋がった筒状ラベル原反を作製できる。該筒状ラベル原反は、一旦、ロール状に巻き取られ、ラベラーに装填される。ラベラーでは、筒状ラベル原反を所定長さに切断して熱収縮性筒状ラベル３を形成した後、該熱収縮性筒状ラベル３の一部領域Ｘを容器２の凹み部２２，２３に対応させながら外嵌し、熱収縮性筒状ラベル３を加熱する。
これにより、図１〜図３に示すような、ラベル付き容器１を得ることができる。
【００４４】
上記ラベル付き容器１は、使用に際して、図１０に示すように、熱収縮性筒状ラベル３の第１縦ミシン目線５１に従って筒状体３１の一部を分断する。
第１縦ミシン目線５１の一部の貫通孔が長く切り込まれ、第１縦ミシン目線５１の一部に大きな開口部分（開封起点口）が形成されている場合には、その部分に指を入れ、フィルムを一部領域Ｘ側へ捲るように引き出すことにより、第１縦ミシン目５１に従って筒状体３１が分断される。
本発明の熱収縮性筒状ラベル３は、一部領域Ｘ側に於いて、第１縦ミシン目線５１に沿って第１フィルム厚肉部７１が形成され、この第１フィルム厚肉部７１が設けられた部分は、他の部分に比して切れ難い。このため、フイルムを捲ることにより、非切取領域側に亀裂が生じることなく、第１縦ミシン目線５１（第１フィルム厚肉部７１の側縁８ａ）に沿って、筒状体３１を分断できる。
特に、第１フィルム厚肉部７１の側縁８ａが、第１縦ミシン目線５１に近接し且つ平行に設けられているため、第１縦ミシン目線５１にて分断することにより生じる分断縁は、ほぼ直線状の綺麗な線条痕となる。
【００４５】
さらに、第１縦ミシン目線５１の上下端にまで分断すると、切り目８１から第１及び第２横ミシン目線６１，６２に従って筒状体３１を分断でき、最後に、第２縦ミシン目線５２に従って分断することにより、一部領域Ｘを完全に筒状体３１から切り取ることができる。
上記一部領域Ｘの切取終焉部分となる第２縦ミシン目線５２には、非切取領域側に於いて、第２フィルム厚肉部７２が設けられている。このため、第２縦ミシン目線５２に従って切り取る際、非切取領域側に亀裂が生じることなく、第２縦ミシン目線５２に従って筒状体３を分断できる。
一部領域Ｘが切り取られたラベル付き容器１は、熱収縮性筒状ラベル３に窓部が形成される。
【００４６】
本発明の熱収縮性筒状ラベル３は、非切取領域側に於いて、第１及び第２縦ミシン目線５１，５２に沿って第１及び第２フィルム厚肉部７１，７２が設けられているので、一部領域Ｘを切り取った後に形成される窓部の縁部は、綺麗な線条痕となる。このため、該窓部の縁部が大きく捲れる虞がなく、又、窓部の外観も良好となる。
特に、熱収縮性筒状ラベル３の一部領域Ｘを、容器２の凹み部２２に対応させて装着する場合、該凹み部２２に対応させた一部領域Ｘは、熱収縮時、大きく収縮するため、一部領域Ｘの周方向の両側部に収縮応力が強く作用して、その両側部に於けるデザインが歪み易い。この点、本発明の熱収縮性筒状ラベル３は、縦ミシン目線５を基準にして、非切取領域側にフィルム厚肉部７が設けられているので、上記一部領域Ｘの収縮応力が、フィルム厚肉部７に遮られる。このため、上記一部領域Ｘの収縮応力が、フィルム厚肉部７を挟んだ反対側である非切取領域に作用し難く、該非切取領域のデザインが歪むことを防止できる。
そして、熱収縮性筒状ラベル３に窓部が形成されたラベル付き容器１は、該窓部から容器２の凹み部２２，２３が露出するので、該凹み部２２，２３に指を入れつつ取っ手２４を確実に掴むことができる。
【００４７】
（第２実施形態）
第２実施形態は、筒状体３１の内面に、感熱性接着剤が設けられている上記熱収縮性筒状ラベル３に係る。
以下、本実施形態に於いて、主として上記第１実施形態と異なる構成及び効果について説明し、上記第１実施形態と同様の構成及び効果については説明を省略し、用語及び符号を援用する。なお、下記第３〜第７実施形態についても、同様に説明し、各実施形態と同様の構成及び効果については説明を省略し、用語及び符号を援用する。
【００４８】
本実施形態の熱収縮性筒状ラベル３は、図１０に示すように、筒状体３１の一部領域Ｘを囲うように、筒状体３１の内面に感熱接着部１０が設けられている。
具体的には、感熱接着部１０は、第１縦ミシン目線５１を基準にして、非切取領域側に於いて、第１縦ミシン目線５１に沿って縦方向に延びて設けられた第１感熱接着部１１と、第２縦ミシン目線５２を基準にして、非切取領域側に於いて、第２縦ミシン目線５２に沿って縦方向に延びて設けられた第２感熱接着部１２と、第１横ミシン目線６１を基準にして、非切取領域側に於いて、第１横ミシン目線６１に沿って周方向に延びて設けられた第３感熱接着部１３と、第２横ミシン目線６２を基準にして、非切取領域側に於いて、第２横ミシン目線６２に沿って周方向に延びて設けられた第４感熱接着部１４と、を有する。第１〜第４感熱接着部１１〜１４は、上記位置に感熱性接着剤を帯状に塗工することにより、筒状体３１の内面に設けられている。
【００４９】
感熱性接着剤は、室温では接着性を示さず且つ加熱されることによって接着性を発現しうる接着剤であり、中でも熱収縮性筒状ラベル３の熱収縮温度（例えば、８０〜１００℃程度）で接着力が発現するものを用いることが好ましい。かかる温度の感熱性接着剤を用いれば、熱収縮性筒状ラベル３を熱収縮させるために加える熱で活性化し、容器２に接着させることができる。
【００５０】
感熱性接着剤としては、例えば、ディレードタック型感熱接着剤、パートコート型感熱接着剤、ホットメルト型接着剤などを用いることができる。
ディレードタック型感熱接着剤は、室温で接着性を示さず、加熱することによって活性化して接着性を示し且つ冷却後長時間に亘ってそれが持続するものであり、グラビアコーティングなどの印刷によって塗工可能な接着剤である。ディレードタック型感熱接着剤としては、例えば、エチレン−酢酸ビニル共重合体、酢酸ビニル−アクリル酸エステル共重合体、合成ゴムなどのベース樹脂に粘着付与剤及び固体可塑剤が配合されたエマルジョン型のものなどが例示される。
パートコート型感熱接着剤は、室温で接着性を示さず、加熱によって接着性を示し、例えば、エチレン−酢酸ビニル共重合体などの熱接着性樹脂と粘着付与剤などを有機溶剤などに溶解又は分散させた溶液を、グラビアコーティングなどの印刷によって塗工可能な接着剤であり、塗工後乾燥して使用するものである。
ホットメルト型接着剤は、常温で接着性を示さず、加熱することによって接着可能となるものであり、加熱溶融することによって塗工可能な接着剤である。ホットメルト型接着剤としては、例えば、エチレン−酢酸ビニル共重合体やエチレンアクリル酸共重合体などのエチレン系樹脂、スチレン−ブタジエンブロック共重合体などのベース樹脂に粘着付与剤などの添加剤が配合されたものが例示される。
【００５１】
本発明に於いては、所望範囲に簡易に塗布できることから、印刷塗工可能な感熱性接着剤、例えば、上記ディレードタック型感熱接着剤やパートコート型感熱接着剤などを用いることが好ましい。特に、長時間に亘って接着性が持続するディレードタック型感熱接着剤を用いることがより好ましい。
【００５２】
本実施形態に係る熱収縮性筒状ラベル３は、容器２に熱収縮装着させる際の熱によって、感熱性接着剤が活性化し、感熱接着部１０が容器２の外面に接着する。なお、必要に応じて、感熱性接着剤をスポット的に加熱するための加熱装置を併用してもよい。
【００５３】
本実施形態の熱収縮性筒状ラベル３は、各切取補助線５，６に従って一部領域Ｘを切り取った後に生じる窓部の縁部が、感熱接着部１０を介して容器２に接着した状態となる。従って、該窓部の縁部が、捲れることを防止できるため、上記熱収縮性筒状ラベル３は、デザインの歪みなどを生じず、外観上特に好ましい。
【００５４】
なお、本実施形態に於いて、感熱接着部１０は、一部領域Ｘを囲うように第１〜第４感熱接着部１１〜１４が設けられているが、これに限定されず、上記第１〜第４感熱接着部１１〜１４から選ばれる少なくとも１ヶ所以上設けられていればよい。もっとも、上記窓部の縁部のうち、縦方向の縁（分断縁）が捲れ易い傾向にあることから、少なくとも第１感熱接着部１１及び第２感熱接着部１２が設けられていることが好ましい。
【００５５】
本実施形態に於いては、窓部の縁部の捲れを防止できることから、例えば、図１１に示すように、第１縦ミシン目線５１及び第２縦ミシン目線５２が、筒状体３１の上縁から形成されている場合に、特に有効である。つまり、この熱収縮性筒状ラベル３は、上記第１横ミシン目線６１が形成されていない態様である。
かかる熱収縮性筒状ラベル３は、一部領域Ｘを切り取った際、筒状体３１の上方部は、左右に完全に分かれるため、窓部の上方縁部に於いて捲れを生じ易い。この点、本実施形態のように、感熱接着部１０が設けられていることにより、この捲れを防止できる。
【００５６】
（第３実施形態）
第３実施形態は、第１フィルム厚肉部７１及び第２フィルム厚肉部７２が上記第１実施形態と異なる上記熱収縮性筒状ラベル３に係る。
【００５７】
本実施形態の熱収縮性筒状ラベル３は、第１縦ミシン目線５１に沿って設けられる第１フィルム厚肉部７１が、センターシール部９で構成され、第２縦ミシン目線５２に沿って設けられる第２フィルム厚肉部７２が、テアテープ８で構成されている点で、上記第１実施形態と異なる（図示せず）。
【００５８】
（第４実施形態）
第４実施形態は、第１フィルム厚肉部７１及び第２フィルム厚肉部７２が何れもテアテープ８で構成されている上記熱収縮性筒状ラベル３に係る。
本実施形態の熱収縮性筒状ラベル３は、図１２に示すように、第１フィルム厚肉部７１は、第１縦ミシン目線５１を基準にして、非切取領域側に於いて、該第１縦ミシン目線５１に沿って縦方向に延びて設けられている。また、第２フィルム厚肉部７２は、第２縦ミシン目線５２を基準にして、非切取領域側に於いて、該第２縦ミシン目線５２に沿って縦方向に延びて設けられている。
該熱収縮性筒状ラベル３は、第１フィルム厚肉部７１及び第２フィルム厚肉部７２が、何れもテアテープ８で構成されている。この場合、センターシール部９は、非切取領域に形成される。また、縦開封補助線４は、第１縦ミシン目線５１及び第２縦ミシン目線５２に連設されておらず、センターシール部９の一側端部３２の縁３２ａに沿って、筒状体の上縁から下縁にかけて形成されていることが好ましい。
【００５９】
（第５実施形態）
第５実施形態は、フィルム厚肉部７が、縦切取補助線５を基準にして、一部領域Ｘ側及び非切取領域側の双方側に設けられている上記熱収縮性筒状ラベル３に係る。
【００６０】
本実施形態の熱収縮性筒状ラベル３は、図１３に示すように、第１フィルム厚肉部７１，７１は、第１縦ミシン目線５１を基準にして、一部領域Ｘ側及び非切取領域側の双方に於いて、該第１縦ミシン目線５１に沿って縦方向に延びて設けられている。また、第２フィルム厚肉部７２，７２は、第２縦ミシン目線５２を基準にして、一部領域Ｘ側及び非切取領域側の双方に於いて、該第２縦ミシン目線５２に沿って縦方向に延びて設けられている。該熱収縮性筒状ラベル３は、第１フィルム厚肉部７１及び第２フィルム厚肉部７２が、何れもテアテープ８で構成されている。
【００６１】
本実施形態に係る熱収縮性筒状ラベル３は、第１縦ミシン目線５１を挟んで、第１フィルム厚肉部７１，７１が設けられているので、第１縦ミシン目線５１に従って筒状体３１を切り取る際、該第１縦ミシン目線５１の周方向両側（一部領域Ｘ側及び非切取領域側）に亀裂が生じない。従って、一部領域Ｘを容易に切り取ることができる上、分断縁が鋸刃状にならず、切取後に生じる窓部の縁部は、ほぼ直線状の綺麗な線状痕となる。
なお、第２縦ミシン目線５２についても同様である。
【００６２】
本実施形態の如く、一部領域Ｘ側にフィルム厚肉部７を設ける場合に於いて、フィルム厚肉部７（例えばテアテープ８）を筒状体３１の上縁から下縁にかけて設けた場合には、例えば、第１縦ミシン目線５１を開封起点として一部領域Ｘを切り取る際、一部領域Ｘ側に設けられた第１フィルム厚肉部７１の存在によって、第１及び第２横ミシン目線６１，６２に従って周方向に切り取ることができないという不都合が生じる。
このため、本実施形態では、一部領域Ｘに設けられた第１フィルム厚肉部７１の縦方向中途部に、周方向に延びる切り目８１が形成されている。該切り目８１は、第１縦ミシン目線５１の上端（第１横ミシン目線６１の連設部）及び第１縦ミシン目線５１の下端（第２横ミシン目線６２の連設部）に対応する部分にそれぞれ形成されている。従って、切り目８１，８１は、第１横ミシン目線６１の一端部の貫通孔、及び第２横ミシン目線６２の一端部の貫通孔に相当する。
【００６３】
上記切り目８１を形成することにより、筒状体３１の上縁から下縁にかけて設けられたテアテープ８は、周方向にて分断されている。このようにして、第１縦ミシン目線５１の上端から下端の間に、実質的に独立したテアテープ８を形成できる。
この切り目８１は、テアテープ８を完全に上下分断するように形成されていてもよいし、テアテープ８の一側縁から周方向中途部にまで部分的に切り込んだものでもよい。かかる不完全分断の切り目８１は、テアテープ８の両側縁のうち第１縦ミシン目線５１側の側縁から形成されていることが好ましい。
なお、第２縦ミシン目線５２に沿って設けられた一部領域Ｘ側の第２フィルム厚肉部７２についても同様に、第２縦ミシン目線５２の上端（第１横ミシン目線６１の連設部）及び第２縦ミシン目線５２の下端（第２横ミシン目線６２の連設部）に対応する部分にそれぞれ上記切り目８１が形成されていることが好ましい。
【００６４】
また、図１４に示すように、縦切取補助線５が、テアテープ８の周方向中途部に於いて該テアテープ８を縦方向に分断するように形成されていてもよい。
具体的には、該熱収縮性筒状ラベル３は、やや幅広のテアテープ８（例えば、周方向の長さが５ｍｍ〜１０ｍｍ程度）を筒状体３１の内面に添付し、縦方向に伸びる第１縦ミシン目線５１にて該テアテープ８を２分するように、テアテープ８の面内に第１縦ミシン目線５１が形成されている。
同様に、第２縦ミシン目線５２も、テアテープ８を２分するように、テアテープ８の面内に形成されている。
なお、上記第１縦ミシン目線５１及び第２縦ミシン目線５２で２分されたテアテープ８のうち、一部領域Ｘ側に位置するテアテープ８は、第１縦ミシン目線５１及び第２縦ミシン目線５２の上下端部に上下切り目８１が形成されている。
【００６５】
この変形例に係る熱収縮性筒状ラベル３は、テアテープ８の貼付作業を少なくできるので好ましい態様である。すなわち、図１３に示す例では、４本のテアテープ８を貼付しなければならないが、本変形例の場合には、２本のテアテープ８の貼付で、上記と同様の効果を奏する。
なお、本実施形態及び変形例に於いて、第１縦ミシン目線５１（又は／及び第２縦ミシン目線５２）を形成することにより、テアテープ８を容易に２分できるようにするために、該テアテープ８として縦方向に引裂き性を有するフィルムを用いることが好ましい。
【００６６】
なお、本実施形態及び変形例に於いては、第１縦ミシン目線５１及び第２縦ミシン目線５２の両側に、フィルム厚肉部７が形成されているが、何れか一方の縦ミシン目線５１，５２のみでもよい。
また、本実施形態及び変形例に於いては、フィルム厚肉部７が、テアテープ８で構成されているが、フィルム厚肉部７の１つをセンターシール部９で構成することも可能である。
【００６７】
（第６実施形態）
第６実施形態は、横切取補助線が形成されていない上記熱収縮性筒状ラベル３に係る。
図１５に示すように、本実施形態の熱収縮性筒状ラベル３は、横切取補助線６が形成されていないことを除いて、その余の点は、上記各実施形態と同様である。
上述のように、熱収縮性筒状ラベル３は、周方向に引裂き性を有するフィルム（延伸方向が周方向とされた熱収縮性フィルム）が用いられている。このため、周方向に伸びる横切取補助線が設けられていなくても、一部領域Ｘを切り取って、窓部を形成することが可能である。
【００６８】
（第７実施形態）
本発明の熱収縮性筒状ラベル３は、上記各実施形態に示した構成のものに限られず、適宜設計変更することができる。
例えば、上記第２実施形態で示した感熱接着部を、第５実施形態で示した熱収縮性筒状ラベル３に適用するというように、各実施形態を適宜組み合わせた態様に変更することもできる。
【００６９】
さらに、上記各実施形態では、縦ミシン目線５は、２本形成されているが、３本以上形成してもよい。また、縦ミシン目線５が１本のみでもよい。
また、本発明の熱収縮性筒状ラベル３は、縦開封補助線４が設けられていなくてもよい。
【００７０】
また、上記実施形態では、熱収縮性筒状ラベル３は、容器２に外嵌する前に、予め筒状に形成されているものを例示したが、本発明の熱収縮性筒状ラベル３は、容器２に装着する際に、筒状に形成されるものも含まれる。
このような熱収縮性筒状ラベル３は、例えば、上記縦ミシン目線５やテアテープ８などが設けられた長尺状のフィルム原反（但し、主たる熱収縮方向がＭＤ方向）の先端部を、容器２の胴部２１に貼付し、これを容器２の周方向に巻き付けつつ切断した後、この切断端部の内面を先端部の外面に貼着することによりセンターシール部９を形成して、筒状に形成される。
【００７１】
また、本発明の熱収縮性筒状ラベル３は、凹み部２２を有する容器２に装着される場合に限られず、凹み部を有しない容器に装着してもよい。
【００７２】
さらに、本発明の熱収縮性筒状ラベル３は、例えば、胴部２１の外面に、景品や能書などの附属品を添付している容器２に装着してもよい。この場合、一部領域Ｘが該附属品に対応するように、熱収縮性筒状ラベル３は容器２に熱収縮装着される。このように装着された熱収縮性筒状ラベル３は、一部領域Ｘを切り取ることで生じる窓部から、上記附属品を取り出すことができる。
【図面の簡単な説明】
【００７３】
【図１】（ａ）は、第１実施形態に係るラベル付き容器を示す右側面図、（ｂ）は、I−I線横断面図。尚、ミシン目線と隠れ線を区別するため、ミシン目線を太破線で、隠れ線を細破線で表す（各図に於いて同じ）。
【図２】同左側面図。
【図３】同正面図。
【図４】（ａ）は、容器の一例を示す右側面図、（ｂ）は、II−II線横断面図。
【図５】（ａ）は、容器の他例を示す右側面図、（ｂ）は、III−III線横断面図。
【図６】第１実施形態に係る熱収縮性筒状ラベルを右側面側から見た斜視図。
【図７】同正面側から見た斜視図。
【図８】図７のIV−IV線縦断面図。
【図９】（ａ）は、熱収縮性筒状ラベルの一部領域を切取る途中を示す右側面図、（ｂ）は、Ｖ−Ｖ線横断面図。
【図１０】（ａ）は、第２実施形態に係る熱収縮性筒状ラベルを正面側から視た斜視図、（ｂ）は、VI−VI線縦断面図。但し、便宜上、感熱接着部を網掛けで表す。
【図１１】（ａ）は、第２実施形態の変形例に係る熱収縮性筒状ラベルを正面側から視た斜視図、（ｂ）は、VII−VII線縦断面図。
【図１２】第４実施形態に係る熱収縮性筒状ラベルを正面側から見た斜視図。
【図１３】第５実施形態に係る熱収縮性筒状ラベルを正面側から見た斜視図。
【図１４】（ａ）は、第５実施形態の変形例に係る熱収縮性筒状ラベルを正面側から視た斜視図、（ｂ）は、VIII−VIII線縦断面図。
【図１５】第６実施形態に係る熱収縮性筒状ラベルを正面側から見た斜視図。
【符号の説明】
【００７４】
１…ラベル付き容器、２…容器、２１…容器胴部、２２，２３…容器の凹み部、３…熱収縮性筒状ラベル、３１…筒状体、３２…筒状体の一側端部、３３…筒状体の他側端部、５…縦切取補助線、５１…第１縦切取補助線（第１縦ミシン目線）、５２…第２縦切取補助線（第２縦ミシン目線）、６…横切取補助線、６１…第１横切取補助線（第１横ミシン目線）、６２…第２横切取補助線（第２横ミシン目線）、７…フィルム厚肉部、７１…第１フィルム厚肉部、７２…第２フィルム厚肉部、８…テアテープ、８１…テアテープの切れ目、９…センターシール部、１０…感熱接着部、Ｘ…一部領域
【図１】
2008201465.tif 000003
【図２】
2008201465.tif 000004
【図３】
2008201465.tif 000005
【図４】
2008201465.tif 000006
【図５】
2008201465.tif 000007
【図６】
2008201465.tif 000008
【図７】
2008201465.tif 000009
【図８】
2008201465.tif 000010
【図９】
2008201465.tif 000011
【図１０】
2008201465.tif 000012
【図１１】
2008201465.tif 000013
【図１２】
2008201465.tif 000014
【図１３】
2008201465.tif 000015
【図１４】
2008201465.tif 000016
【図１５】
2008201465.tif 000017